【手続補正書】
【提出日】平成15年11月10日(2003.11.10)
【手続補正１】
【補正対象書類名】明細書
【補正対象項目名】特許請求の範囲
【補正方法】変更
【補正の内容】
【特許請求の範囲】
【請求項１】
キャリッジを走行させつつ、当該キャリッジに搭載された記録ヘッドの記録動作により、シートに記録を実行する記録装置において、
上記記録ヘッドの記録動作を伴う上記キャリッジの走行中に、上記記録ヘッドによる記録動作よりも先行して上記シートの側縁を検出可能な検出器と、
この検出器がシートの側縁を検出した時点からキャリッジを所定距離αだけ走行させた後、記録ヘッドに記録動作を開始させ、上記検出器が当該シートの他の側縁を検出した時点から上記キャリッジを所定距離βだけ走行させた後、上記記録ヘッドに記録動作を停止させるよう制御する制御装置と、を有することを特徴とする記録装置。
【請求項２】
上記検出器は、キャリッジにおいて、記録ヘッドに対し当該キャリッジの走行方向両側に設置されたことを特徴とする請求項１に記載の記録装置。
【請求項３】
上記検出器は、キャリッジの走行方向において、記録ヘッドの記録ワイヤに対するオフセット量が、上記キャリッジの停止状態における上記検出器の位置からシートの側縁までの距離以下の値に設定されたことを特徴とする請求項１または２に記載の記録装置。
【請求項４】
上記検出器は、キャリッジの走行方向において、記録ヘッドの記録ワイヤに対するオフセット量が、シートの側縁から記録可能領域までの距離以上の値に設定されたことを特徴とする請求項１乃至３のいずれかに記載の記録装置。
【請求項５】
上記検出器は、キャリッジの走行方向と直交するシート搬送方向において、記録ヘッドの記録ワイヤよりも上流側に設置されたことを特徴とする請求項１乃至４のいずれかに記載の記録装置。
【請求項６】
キャリッジを走行させつつ、当該キャリッジに搭載された記録ヘッドの記録動作により、シートに記録を実行する記録装置の記録方法において、
上記記録ヘッドの記録動作を伴う上記キャリッジの走行中に、上記記録ヘッドによる記録動作よりも先行して検出される上記シートの側縁の検出結果に基づき、上記記録ヘッドの記録動作を制御し、この記録ヘッドの記録動作は、記録ヘッドによる記録動作よりも先行してシートの側縁が検出されたときに、キャリッジを当該検出時点から所定距離αだけ走行させた後、上記記録ヘッドに記録動作を開始させ、また、記録ヘッドによる記録動作よりも先行してシートの他の側縁が検出されたときに、上記キャリッジを当該検出時点から所定距離βだけ走行させた後、上記記録ヘッドに記録動作を停止させることを特徴とする記録装置の記録方法。
【手続補正２】
【補正対象書類名】明細書
【補正対象項目名】０００７
【補正方法】変更
【補正の内容】
【０００７】
【課題を解決するための手段】
請求項１に記載の発明は、キャリッジを走行させつつ、当該キャリッジに搭載された記録ヘッドの記録動作により、シートに記録を実行する記録装置において、上記記録ヘッドの記録動作を伴う上記キャリッジの走行中に、上記記録ヘッドによる記録動作よりも先行して上記シートの側縁を検出可能な検出器と、この検出器がシートの側縁を検出した時点からキャリッジを所定距離αだけ走行させた後、記録ヘッドに記録動作を開始させ、上記検出器が当該シートの他の側縁を検出した時点から上記キャリッジを所定距離βだけ走行させた後、上記記録ヘッドに記録動作を停止させるよう制御する制御装置と、を有することを特徴とするものである。


【手続補正３】
【補正対象書類名】明細書
【補正対象項目名】０００８
【補正方法】変更
【補正の内容】
【０００８】
請求項２に記載の発明は、請求項１に記載の発明において、上記検出器は、キャリッジにおいて、記録ヘッドに対し当該キャリッジの走行方向両側に設置されたことを特徴とするものである。


【手続補正４】
【補正対象書類名】明細書
【補正対象項目名】０００９
【補正方法】変更
【補正の内容】
【０００９】
請求項３に記載の発明は、請求項１または２に記載の発明において、上記検出器は、キャリッジの走行方向において、記録ヘッドの記録ワイヤに対するオフセット量が、上記キャリッジの停止状態における上記検出器の位置からシートの側縁までの距離以下の値に設定されたことを特徴とするものである。


【手続補正５】
【補正対象書類名】明細書
【補正対象項目名】００１０
【補正方法】変更
【補正の内容】
【００１０】
請求項４に記載の発明は、請求項１乃至３のいずれかに記載の発明において、上記検出器は、キャリッジの走行方向において、記録ヘッドの記録ワイヤに対するオフセット量が、シートの側縁から記録可能領域までの距離以上の値に設定されたことを特徴とするものである。


【手続補正６】
【補正対象書類名】明細書
【補正対象項目名】００１１
【補正方法】変更
【補正の内容】
【００１１】
請求項５に記載の発明は、請求項１乃至４のいずれかに記載の発明において、上記検出器は、キャリッジの走行方向と直交するシート搬送方向において、記録ヘッドの記録ワイヤよりも上流側に設置されたことを特徴とするものである。


【手続補正７】
【補正対象書類名】明細書
【補正対象項目名】００１２
【補正方法】変更
【補正の内容】
【００１２】
請求項６に記載の発明は、キャリッジを走行させつつ、当該キャリッジに搭載された記録ヘッドの記録動作により、シートに記録を実行する記録装置の記録方法において、
上記記録ヘッドの記録動作を伴う上記キャリッジの走行中に、上記記録ヘッドによる記録動作よりも先行して検出される上記シートの側縁の検出結果に基づき、上記記録ヘッドの記録動作を制御し、この記録ヘッドの記録動作は、記録ヘッドによる記録動作よりも先行してシートの側縁が検出されたときに、キャリッジを当該検出時点から所定距離αだけ走行させた後、上記記録ヘッドに記録動作を開始させ、また、記録ヘッドによる記録動作よりも先行してシートの他の側縁が検出されたときに、上記キャリッジを当該検出時点から所定距離βだけ走行させた後、上記記録ヘッドに記録動作を停止させることを特徴とするものである。


【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
本発明では、記録ヘッドを記録動作させつつキャリッジを走行させるシートへの通常の記録動作中に、検出器が、記録ヘッドによる記録動作よりも先行してシートの側縁（一側縁及び他側縁）を検出し、当該シートのシート幅を判定するので、記録ヘッドによるシートへの記録動作に先立ち、記録ヘッドに記録動作を実行させることなくキャリッジを走行させて、このキャリッジに設置された検出器によりシートの側縁を検出する動作を削除できる。この結果、シートを装置に供給してから当該シートに記録を完了するまでに要する時間を短縮できる。


【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
本発明では、キャリッジの走行方向において、検出器の記録ワイヤに対するオフセット量が、キャリッジの停止状態における検出器の位置からシートの側縁までの距離以下の値に設定されたことから、キャリッジを停止位置から走行させたとき、記録ヘッドに先行する検出器により、シートの側縁を確実に検出することができる。


【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】変更
【補正の内容】
【００２１】
本発明では、キャリッジの走行方向において、検出器の記録ワイヤに対するオフセット量が、シートの側縁から記録可能領域までの距離以上の値に設定されたことから、検出器がシートの他の側縁を検出したとき、その後、記録ヘッドの記録ワイヤが、当該シートの記録可能領域を越えて記録動作を継続することを確実に防止できる。


【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】変更
【補正の内容】
【００２３】
本発明では、検出器が、シート搬送方向において、記録ヘッドの記録ワイヤよりも上流側に設置されたことから、この検出器により、シートの先端縁及び後端縁を検出できるので、当該シートの記録可能領域における記録開始端及び記録終了端を正確に判定できる。


【手続補正１８】
【補正対象書類名】明細書
【補正対象項目名】００７０
【補正方法】変更
【補正の内容】
【００７０】
【発明の効果】
本発明では、記録ヘッドの記録動作を伴う上記キャリッジの走行中に、上記記録ヘッドによる記録動作よりも先行して上記シートの側縁を検出可能な検出器と、この検出器の検出結果に基づき、上記記録ヘッドの記録動作を制御する制御装置と、を有することから、シートを供給してから当該シートに記録を完了するまでに要する時間を短縮できる。


【手続補正１９】
【補正対象書類名】明細書
【補正対象項目名】００７１
【補正方法】変更
【補正の内容】
【００７１】
本発明では、記録ヘッドの記録動作を伴う上記キャリッジの走行中に、上記記録ヘッドによる記録動作よりも先行して検出される上記シートの側縁の検出結果に基づき、上記記録ヘッドの記録動作を制御することから、シートを供給してから当該シートに記録を完了するまでに要する時間を短縮できる。